(57)【要約】【課題】消費者が布材を視認しやすいとともに、消費者に大きな印象を与えることができる布材陳列什器を提供する。【解決手段】布材を陳列するための什器であって、スポンジによって形成され、全体として鉛直な陳列面１０には、水平方向に延びる複数の凹部３０が陳列面１０の上下方向に並んで相互に平行に設けられており、布材の一部が差し込まれて保持される切り込み３５が各凹部３０の底部３１から奥方向に延びている。【選択図】図１
2020074829.tif 000002
【特許請求の範囲】
【請求項１】
布材を陳列するための什器であって、
ベースとして鉛直成分を有する陳列面に、前記布材の一部が差し込まれて保持される差し込み保持部が設けられている、
布材陳列什器。
【請求項２】
請求項１に記載の布材陳列什器であって、
前記差し込み保持部として、前記陳列面の全幅にわたって奥方向に延びる複数の切り込みが当該陳列面の上下方向に並んで相互に平行に形成されている、
布材陳列什器。
【請求項３】
請求項１又は請求項２に記載の布材陳列什器であって、
前記陳列面には、水平方向に延びる複数の凹部が当該陳列面の上下方向に並んで相互に平行に設けられ、
前記複数の差し込み保持部は、前記凹部の奥部から奥方向に延びている、
布材陳列什器。
【請求項４】
請求項１〜請求項３のいずれかに記載の布材陳列什器であって、
少なくとも前記複数の差し込み保持部が形成されている部位が弾性を有している、
布材陳列什器。
【発明の詳細な説明】
【技術分野】
【０００１】
本発明は、タオル等の布材を陳列する什器に関するものである。
【背景技術】
【０００２】
商品を販売する際には、その商品を視認しやすく陳列する必要がある。
例えば、衣服においては、畳んだ状態で棚に載置されたり、ハンガーに吊されたりされるのみでなく、マネキン人形に衣服を着用させることによって立体的に陳列され、消費者が視認しやすくされている。
【０００３】
ところで、タオルや、ハンカチ，風呂敷等の布材については、畳んだ状態で棚に載置されたり、吊されたりして陳列されるのがもっぱらである。
しかしながら、それでは、消費者が視認しにくいとともに、消費者に大きな印象を与えることができない。
【０００４】
なお、本発明に関連する先行技術として、特許文献１に記載されているものがある。
【先行技術文献】
【特許文献】
【０００５】
【特許文献１】実用新案登録第３０５４７３０号公報
【発明の概要】
【発明が解決しようとする課題】
【０００６】
本発明は、消費者が布材を視認しやすいとともに消費者に大きな印象を与えることができる布材陳列什器を提供することを課題とする。
【課題を解決するための手段】
【０００７】
この課題を解決するために、本発明の第１の態様は、布材を陳列するための什器であって、ベースとして鉛直成分を有する陳列面に、前記布材の一部が差し込まれて保持される差し込み保持部が設けられている、布材陳列什器である。
【０００８】
この態様の布材陳列什器では、次の作用効果が得られる。
ベースとして鉛直成分を有する陳列面に布材が位置づけられ、その布材の一部が差し込み保持部に差し込まれて保持される。
こうして、布材が陳列面に保持され、安定的に陳列される。また、布材の一部が差し込み保持部に差し込まれることによって、斬新な印象を看者に与える。
【０００９】
本発明の第２の態様は、第１の態様の布材陳列什器であって、前記差し込み保持部として、前記陳列面の全幅にわたって奥方向に延びる複数の切り込みが当該陳列面の上下方向に並んで相互に平行に形成されている、布材陳列什器である。
【００１０】
この態様の布材陳列什器では、第１の態様の布材陳列什器の作用効果に加えて、次の作用効果が得られる。
差し込み保持部が陳列面の全幅にわたって形成されているため、その差し込み保持部に布材の一部を差し込むことが容易となる。
また、差し込み保持部が複数形成されているため、布材のうち差し込み保持部に差し込まれる部位が複数となり、その布材は陳列面により安定的に保持される。
また、陳列面の全幅にわたる複数の差し込み保持部は、陳列面の上下方向に並んで相互に平行に形成されており、布材のうちの差し込み保持部に差し込まれる部位は、それに対応して形成され、その点でも斬新な印象を看者に与える。
【００１１】
本発明の第３の態様は、第１又は第２の態様の布材陳列什器であって、前記陳列面には、水平方向に延びる複数の凹部が当該陳列面の上下方向に並んで相互に平行に設けられ、前記複数の差し込み保持部は、前記凹部の奥部から奥方向に延びている、布材陳列什器である。
【００１２】
この態様の布材陳列什器では、第１又は第２の態様の布材陳列什器の作用効果に加えて、次の作用効果が得られる。
水平方向に延びる複数の凹部が陳列面において当該陳列面の上下方向に並んで相互に平行に設けられ、その各凹部の奥部から差し込み保持部が奥方向に延びているため、布材は、その各凹部に沿った形状になった上で、その奥部において当該布材の一部が差し込み保持部に差し込まれる。
このため、布材の一部を差し込むことがより容易になるとともに、より斬新な印象を看者を与える。
【００１３】
本発明の第４の態様は、第１〜第３のいずれかの態様の布材陳列什器であって、少なくとも前記複数の差し込み保持部が形成されている部位が弾性を有している、布材陳列什器である。
【００１４】
この態様の布材陳列什器では、第１〜第３のいずれかの態様の布材陳列什器の作用効果に加えて、次の作用効果が得られる。
少なくとも複数の差し込み保持部が形成されている部位が弾性を有しているため、差し込み保持部が弾性的に広げられた状態で布材の一部が当該差し込み保持部に差し込まれ、その弾性復元力によって布材の当該一部が当該差し込み保持部に保持される。
こうして、布材の一部は、差し込み保持部に容易に差し込まれ得るとともに、容易に保持される。
【図面の簡単な説明】
【００１５】
【図１】本発明の実施例１のタオル陳列什器を示す斜視図である。
【図２】本発明の実施例１のタオル陳列什器を示す右側面図である。
【図３】本発明の実施例１のタオル陳列什器を示す正面図である。
【図４】本発明の実施例１のタオル陳列什器を示す平面図である。
【図５】本発明の実施例１のタオル陳列什器を示す背面図である。
【図６】本発明の実施例１のタオル陳列什器の要部を拡大して示す要部拡大右側面図である。
【図７】本発明の実施例１のタオル陳列什器の使用状態を示す斜視図である。
【図８】本発明の実施例１のタオル陳列什器の使用状態の要部を拡大して示す要部拡大右側面図である。
【図９】本発明の実施例２のタオル陳列什器を示す斜視図である。
【図１０】本発明の実施例２のタオル陳列什器の要部を拡大して示す要部拡大右側面図である。
【発明を実施するための形態】
【００１６】
［実施例１］
次に、本発明の実施例１について、図１〜図８に基づいて説明する。
図１〜図５に示すように、このタオル陳列什器（布材陳列什器）は、全体として、立方体に近い直方体状をしている。すなわち、幅よりも奥行き（最も奥行きの深い部位における当該奥行き）の方が若干長いとともに、高さと奥行き（同）とはほぼ同一である。
このタオル陳列什器は、スポンジによって形成されており、柔軟性及び弾性（小さな弾性率）を有している。
【００１７】
図１，図２，図６に示すように、このタオル陳列什器の正面である陳列面１０には、複数の凹凸（凸部２０／凹部３０）及び切り込み３５が形成されている（後に詳述する）。
なお、図１〜図５に示すように、このタオル陳列什器の上面１１，下面１２は水平な平面状をしており、左右一対の側面１３，背面１４は鉛直な平面状ををしている。
【００１８】
図１，図２，図６に示すように、このタオル陳列什器の陳列面１０には、鉛直な平面をベースに、複数（５本）の凸部２０が形成されている。
各凸部２０は、ほぼ半円形状断面を有し前方に突出しており、このタオル陳列什器の正面における全幅にわたって延びている。
【００１９】
逆にいえば、上下に隣接する２つの凸部２０の間に凹部３０が形成されているともいえる。こうして、このタオル陳列什器の正面には、複数（４本）の凹部３０が形成されている。
図６に描画された２つの凹部３０のうちの上方の凹部３０に示すように、各凹部３０は、自然状態において、その凹部３０の直上の凸部２０の一部（下部）を形成する円弧状断面を有する曲面と、その凹部３０の直下の凸部２０の一部（上部）を形成する円弧状断面を有する曲面とによって形成されている。こうして、各凹部３０は、このタオル陳列什器の前面から奥側にくぼんでいる。
同じく図６に描画された２つの凹部３０のうちの上方の凹部３０に示すように、各凹部３０においては、自然状態において上述した上下一対の円弧状断面を有する曲面が直線状に接する（このタオル陳列什器の幅方向における直線状に接する）部分が、底部３１（奥部）とされている。
【００２０】
各凹部３０においては、さらに、切り込み３５が形成されている。この切り込み３５が本発明の「差し込み保持部」に該当する。
上述と同じく図６に描画された２つの凹部３０のうちの上方の凹部３０に示すように、各切り込み３５は、各凹部３０において、その底部３１から奥側に向かって形成されている。各切り込み３５は、水平に、かつ、このタオル陳列什器の正面（陳列面１０）における全幅にわたって延びている。
【００２１】
この切り込み３５においては、自然状態においては塞がっている。すなわち、自然状態において、切り込み上側面３６ａと切り込み下側面３６ｂとは接触している。
そして、図６に描画された２つの凹部３０のうちの下方の凹部３０に示すように、切り込み上側面３６ａ及び切り込み下側面３６ｂが相互に離隔するように力が加えられることによって、その両者３６ａ，３６ｂ及びその近傍が弾性的に変形して、切り込み３５が開いた状態になる。
【００２２】
次に、このタオル陳列什器の使用方法及び作用効果について、図７及び図８に基づいて説明する。
陳列の対象であるバスタオル等のタオルＴについて、まずは、必要に応じて、そのタオルＴを幅方向において折りたたんで、このタオル陳列什器の幅とほぼ同一の幅になるようにする。それと相前後して、必要に応じて、長さ方向においても折りたたんで、長さを調整する。
【００２３】
上述のように必要に応じて折りたたまれたタオルＴについて、図７に示すように、そのうちの上側の部分をこのタオル陳列什器の上面１１に載置する。さらには、それよりも上の最上部をこのタオル陳列什器の背面１４に垂らす。
【００２４】
そして、そのタオルＴのそれよりも下の主要部分をこのタオル陳列什器の正面において重力に基づいて下方に垂らし、凸部２０／凹部３０を形成する凹凸に対応させるとともに、切り込み３５に挿入させる。
【００２５】
すなわち、使用者は、まずは、図８に描画された２つの凹部３０のうちの下方の凹部３０において示すように、タオルＴを自然状態の凹部３０の形状に沿わせる。
そして、同じく図８中の下方の凹部３０において矢印で示すように、さらにタオルＴを凹部３０の奥方に押し込むことによって、図８中の上方の凹部３０において示すように、切り込み３５が弾性的に開きつつ、タオルＴが、その弾性的に開いた切り込み３５に差し込まれる。これによって、タオルＴのうちの切り込み３５に差し込まれた部分が、切り込み３５の弾性復元力に基づいて切り込み上側面３６ａ及び切り込み下側面３６ｂによって挟持される。こうして、タオルＴのうちの切り込み３５に差し込まれた部分が、切り込み３５において維持される。
【００２６】
こうして、タオルＴの主要部（陳列面１０に対応する部分）が、陳列面１０の凹凸に倣った形状に維持される。
【００２７】
さらに、そのタオルＴのそれよりも下の部分をこのタオル陳列什器の底面に下に位置づける。すなわち、タオルＴの当該部分の上にこのタオル陳列什器を載置する。
【００２８】
以上のようにタオルＴをタオル陳列什器にセットすることによって、斬新な形態でタオルＴを陳列することができる。
すなわち、全体的な観点から、タオルＴを鉛直方向にほぼ延びた状態で維持させることができ、消費者の視認性が向上する。それとともに、詳細的な観点から、タオルＴがタオル陳列什器の凹凸に沿って凹凸状の形状に維持されるため、消費者にはこれまでにはない美観を与えることができる。
【００２９】
［実施例２］
次に、本発明の実施例２について、図９及び図１０に基づいて説明する。実施例２は、実施例１の変形例であるため、実施例１と共通する要素については同一の符号を付して、詳細な説明を省略する。
【００３０】
このタオル陳列什器は、中空又は中実の硬質の合成樹脂によって形成されており、実質的な弾性を有していない。
凹部３０の最奥部から切り込み１３５が形成されており、切り込み１３５においては、常に、切り込み上側面１３６ａ及び切り込み下側面１３６ｂの間に隙間が存在している。このタオル陳列什器が硬質の合成樹脂によって形成されているため、その隙間の幅はほぼ不変である。
【００３１】
そして、このタオル陳列什器は、実施例１のタオル陳列什器とほぼ同様に、次のように使用される。
タオル（その主要部分）をこのタオル陳列什器の正面において重力に基づいて下方に垂らし、凸部２０／凹部３０を形成する凹凸に対応させるとともに、切り込み１３５に挿入させる。
【００３２】
すなわち、使用者は、タオルＴを凹部３０の形状に沿わせるとともに、さらにタオルＴを凹部３０の奥方に押し込む。
これによって、タオルＴが圧縮されつつ切り込み１３５に差し込まれ、タオルＴの当該切り込み１３５に差し込まれた部分が、元の形状に戻ろうとする復元力に基づいて切り込み上側面１３６ａ及び切り込み下側面１３６ｂに圧接し、その反作用として、切り込み上側面１３６ａ及び切り込み下側面１３６ｂによって挟持される。こうして、タオルＴのうちの切り込み１３５に差し込まれた部分が、切り込み１３５において維持される。
【００３３】
こうして、この実施例のタオル陳列什器においても、実施例１のタオル陳列什器と同様に、タオルＴの主要部（陳列面１０に対応する部分）が、陳列面１０の凹凸に倣った形状に維持される。
【００３４】
なお、上記のものはあくまで本発明の実施例にすぎず、当業者の知識に基づき種々の変更を加えた態様で本発明を実施できることはもちろんである。
【００３５】
例えば、陳列面１０には凹凸（凸部２０／凹部３０）が形成されず、切り込み（３５）又は切り込み（１３５）のみが形成されていてもよい。
【符号の説明】
【００３６】
１０  陳列面
２０  凸部
３０  凹部
３１  底部（奥部）
３５  切り込み
Ｔ  タオル（布材）
【図１】
2020074829.tif 000003
【図２】
2020074829.tif 000004
【図３】
2020074829.tif 000005
【図４】
2020074829.tif 000006
【図５】
2020074829.tif 000007
【図６】
2020074829.tif 000008
【図７】
2020074829.tif 000009
【図８】
2020074829.tif 000010
【図９】
2020074829.tif 000011
【図１０】
2020074829.tif 000012